(57)【要約】【課題】本体が巻かれていると、収容部から物品が抜け出すことを抑制可能な物品収容具を提供する。【解決手段】開かれた状態と巻かれた状態とに形態を変更可能なシート状の本体２２と、本体２２に設けられ、かつ、物品を収容する収容部２６，２７，２８と、本体２２に取り付けられて本体２２と共に形態を変更可能であり、かつ、本体２２が開かれた状態では平坦形態となり、本体２２が巻かれた状態で渦巻き状態となるバネ部材３３と、本体２２に対して折り返し可能及び展開可能に接続され、かつ、本体２２に対して折り返された位置で収容部２６，２７，２８を閉じるフラップ２１と、を備え、バネ部材３３と、収容部２６，２７，２８と、折り返された位置にあるフラップ２１とが重なる物品収容具１０を構成した。【選択図】図１
0003233470.tif 000002
【実用新案登録請求の範囲】
【請求項１】
開かれた状態と巻かれた状態とに形態を変更可能なシート状の本体と、
前記本体に設けられ、かつ、物品を収容する収容部と、
前記本体に取り付けられて前記本体と共に形態を変更可能であり、かつ、前記本体が開かれた状態では平坦形態となり、前記本体が巻かれた状態で渦巻き状態となるバネ部材と、
前記本体に対して折り返し可能及び展開可能に接続され、かつ、前記本体に対して折り返された位置で前記収容部を閉じるフラップと、
を備え、
前記バネ部材と、前記収容部と、折り返された位置にある前記フラップとが重なる、物品収容具。
【請求項２】
請求項１記載の物品収容具において、
前記収容部は、前記本体が巻かれる方向に沿って複数設けられている、物品収容具。
【請求項３】
請求項１または２記載の物品収容具において、
前記本体を構成する第１構成片と、
前記第１構成片に重ねられて前記収容部を構成するシート状の第２構成片と、
前記第１構成片と前記第２構成片との間に配置され、かつ、前記第１構成片に固定されたシート状の第３構成片と、
前記第１構成片と前記第３構成片との間に設けられ、かつ、前記バネ部材を保持するバネ部材保持部と、
を備えている、物品収容具。
【考案の詳細な説明】
【技術分野】
【０００１】
本開示は、物品を収容するために用いる物品収容具に関する。
【背景技術】
【０００２】
物品を収容するために用いる物品収容具の一例が、特許文献１に記載されている。特許文献１に記載されている物品収容具は、本体及びバンドを有する。本体は、開いた状態及び湾曲した状態にされる。本体は、内面側に設けた複数のペンスロットと、内面側に設けられたフラップと、収容空間とを備える。複数のペンスロットは、本体の第１側縁に沿って設けられている。フラップは、本体の第２側縁から折り返されている。収容空間は、本体において複数のペンスロットと、フラップとの間に設けられている。収容空間は、本体の巻き方向に沿って延びている。
【０００３】
バンドは、収容空間へ収容されている。バンドは、本体に取り付けられた巻き板バネとしての特性を有し、バンドは、パッチンバンドと同様の原理により、伸び状態と湾曲状態とに遷移可能である。使用者は、バンドを断面形状が面外方向に膨出した形状となる伸び状態に遷移させ、本体を開いた状態に保持する。使用者は、本体が開いている状態で物品としてのペンをペンスロットに入れ、フラップでペンの一部を覆う。そして、使用者が、バンドの長さ方向の所定位置を本体の上から押すと、バンドは本体と共に丸まっていき、本体は最終的に巻かれた状態になる。このため、本体の内部にペンが収容され、使用者はっ物品収容具を持ち運ぶことができる。
【先行技術文献】
【特許文献】
【０００４】
【特許文献１】特開２０２０−１１０２６３号公報
【考案の概要】
【考案が解決しようとする課題】
【０００５】
本願考案者は、特許文献１に記載された物品収容具は、本体が巻かれている状態で、収容部から物品が抜け出す可能性がある、という課題を認識した。
【０００６】
本考案の目的は、本体が巻かれている状態で、収容部から物品が抜け出すことを抑制可能な物品収容具を提供することにある。
【課題を解決するための手段】
【０００７】
本開示の物品収容具は、開かれた状態と巻かれた状態とに形態を変更可能なシート状の本体と、前記本体に設けられ、かつ、物品を収容する収容部と、前記本体に取り付けられて前記本体と共に形態を変更可能であり、かつ、前記本体が開かれた状態では平坦形態となり、前記本体が巻かれた状態で渦巻き状態となるバネ部材と、前記本体に対して折り返し可能及び展開可能に接続され、かつ、前記本体に対して折り返された位置で前記収容部を閉じるフラップと、を備え、前記バネ部材と、前記収容部と、折り返された位置にある前記フラップとが重なる。
【考案の効果】
【０００８】
本考案の物品収容具によれば、本体が巻かれている状態で、収容部から物品が抜け出すことを抑制可能である。
【図面の簡単な説明】
【０００９】
【図１】本開示の物品収容具が開かれている状態の平面図である。
【図２】物品収容具の背面図である。
【図３】（Ａ）は、物品収容具の本体に取り付けられるバネ部材の平坦形態を示す斜視図、（Ｂ）は、バネ部材の渦巻き形態を示す斜視図である。
【図４】収容部に物品が収容され、かつ、フラップが閉じられている状態の平面図である。
【図５】（Ａ），（Ｂ）は、物品を収容した物品収容具が渦巻き状態にある斜視図である。
【考案を実施するための形態】
【００１０】
本開示の物品収容具の実施形態を図面に基づいて詳細に説明する。なお、物品収容具を説明するための全図において、同一部には原則として同一の符号を付し、その繰り返しの説明は省略する。
【００１１】
図１及び図２に示す物品収容具１０は、フラップ２１及び本体２２を有する。フラップ２１及び本体２２は、厚さが１ｍｍ以下の単数のシート材により構成されている。本体２２は、シート状の第１構成片１１及びシート状の第２構成片１２を有する。第１構成片１１と第２構成片１２とは、１枚の生地（布地）が、直線状の折り曲げ部１３を隔てて接続されている。生地としては、例えば、ブロード生地、シーチング生地、オックス生地、キルティング生地、タフタ生地、フェルト生地等を用いることができる。
【００１２】
第１構成片１１の縁と第２構成片１２の縁とが重なっている２箇所を覆い、かつ、第１構成片１１のみの縁を覆う２つの縁覆い片１４，１５が設けられている。縁覆い片１４は、第１構成片１１及び第２構成片１２に対して縫合部１６によって固定され、縁覆い片１５は、第１構成片１１及び第２構成片１２に対して縫合部１７によって固定されている。第１構成片１１の縁と第２構成片１２の縁とが重なっている２箇所は、縫合部１６，１７によって互いに固定されている。
【００１３】
また、第１構成片１１の縁が所定幅で折り返され、折り返された箇所が、直線状の縫合部１８によって固定されている。折り曲げ部１３と縫合部１８とは互いに平行である。第１構成片１１は、折り曲げ部１３と縫合部１８との中途位置から縫合部１８に近づくことに伴い、幅が狭くなる平面形状を備えている。幅は、折り曲げ部１３の長さ方向と同じ方向の長さである。このため、第１構成片１１の自由端１９の長さは、折り曲げ部１３の長さよりも短い。
【００１４】
第１構成片１１は、自由端１９と第２構成片１２との間に折り位置２０を有する。そして、フラップ２１と本体２２とが折り位置２０を介して接続されている。折り位置２０は、第１構成片１１と第２構成片１２との境界を示す直線状の仮想線である。自由端１９と折り位置２０と折り曲げ部１３とは、互いに平行である。折り位置２０は、自由端１９と折り曲げ部１３との間に位置する。第１構成片１１は、折り位置２０で折り曲げられてフラップ２１が第２構成片１２に近づく一方、フラップ２１が第２構成片１２から離間可能である。
【００１５】
第２構成片１２のうち、折り曲げ部１３と平行な縁が所定幅で内側へ折り返され、折り返された箇所が、直線状の縫合部２３によって固定されている。折り曲げ部１３と縫合部２３とは互いに平行である。縫合部２３は、折り位置２０と折り曲げ部１３との間に位置する。
【００１６】
さらに、第１構成片１１と第２構成片１２とが重なっている領域に複数、例えば２つの縫合部２４，２５が直線状に設けられている。縫合部２４，２５は、折り曲げ部１３に対して略９０度の角度で交差する方向に設けられている。縫合部２４，２５は、第１構成片１１と第２構成片１２とを固定している。このため、第１構成片１１と第２構成片１２との間に、複数、具体的には３つの収容部２６，２７，２８が設けられている。収容部２６と収容部２７とが縫合部２４によって仕切られ、収容部２７と収容部２８とが縫合部２５によって仕切られている。全ての収容部２６，２７，２８は、物品収容具１０の外部Ａ１につながっている。なお、縫合部２４，２５は縫合部２３に到達していない。
【００１７】
さらに、第１構成片１１と第２構成片１２との間に第３構成片２９が設けられている。第３構成片２９の生地は、第１構成片１１及び第２構成片１２の生地と同じである。第３構成片２９は、ベルト形状であり、第１構成片１１と第３構成片２９とが、直線状の２つの縫合部３０，３１によって固定されている。第１構成片１１と第３構成片２９との間のうち、縫合部１６，１７，３０，３１により取り囲まれた略長方形の空間（隙間）が、バネ部材保持部３２である。バネ部材保持部３２には、バネ部材３３が設けられている。
【００１８】
バネ部材３３は、図３（Ａ），（Ｂ）に示すように、金属製でベルト形状の板バネ３４と、布生地等の被覆材３５と、を有する。被覆材３５は、板バネ３４の周囲を覆っている。バネ部材３３は、パッチンブレス等の名称で市販されている。バネ部材３３は、図３（Ａ）に示す平坦形態と、図３（Ｂ）に示す渦巻き形態との間で弾性変形が可能である。バネ部材３３は、外力を受けていなければ渦巻き形態である。バネ部材３３は、長手方向に展開させる外力を受けると、平坦形態になる。
【００１９】
次に、使用者が物品収容具１０の使用する例を説明する。先ず、使用者は、物品収容具１０をテーブル上などに図１のように開いた状態で置く。バネ部材３３は、平坦状態に保持され、かつ、折り位置２０は折り曲げられておらず、フラップ２１は、本体２２の延長上に位置する。使用者は、物品、例えば、棒状の筆３６を収容部２６，２７，２８へそれぞれ収容、つまり、差し込む。なお、図３では、筆３６の長さとして、収容部２６，２７，２８の深さよりも長いものが示されており、筆３６の長手方向の一部が、収容部２６，２７，２８の外に露出している。
【００２０】
そして、使用者は、フラップ２１を手で掴んで折り位置２０を谷折りし、フラップ２１が第２構成片１２に近づけ、かつ、フラップ２１の一部を、図４のように、第２構成片１２の上に重ねる。このため、フラップ２１は、筆３６のうち、収容部２６，２７，２８の外に露出している箇所を覆う。つまり、フラップ２１は、収容部２６，２７，２８を閉じる。さらに、使用者はバネ部材３３を平坦形態から渦巻き状態に復元させると、物品収容具１０は、図５（Ａ）のように渦巻き状に巻かれる。このように、筆３６が収容部２６，２７，２８に収容された状態において、バネ部材３３の弾性力で本体２２が、図５（Ａ），（Ｂ）のように巻かれた形態に保持される。
【００２１】
そして、折り位置２０を谷折りした状態でフラップ２１が第２構成片１２に重ねられているため、筆３６が収容部２６，２７，２８から抜け出すことを抑制できる。さらに、第１構成片１１の一部と、第２構成片１２の一部と、フラップ２１の一部とが重なった領域に、筆３６の長手方向の一部が位置した状態で、物品収容具１０が渦巻き状に巻かれている。また、第２構成片１２が、バネ部材３３の力でフラップ２１に押し付けられ、かつ、フラップ２１が、バネ部材３３の力で第１構成片１１に押し付けられており、それぞれの接触箇所における摩擦力が増加している。
【００２２】
このため、フラップ２１の自由端１９が、第２構成片１２と第１構成片との間から抜け出すことを抑制できる。つまり、フラップ２１に対する保持力が増加しており、フラップ２１の自由端１９が、第１構成片１１と第２構成片１２との間から外部Ａ１へ抜け出すことを抑制できる。したがって、筆３６が収容部２６，２７，２８から外部Ａ１へ抜け出すことを、一層、確実に抑制できる。また、紐、輪ゴム等を使用しないため、ワンタッチで本体２２の巻き及び開きを行うことができ、取扱いが簡単である。さらに、第１構成片１１と第２構成片１２との間に第３構成片２９が介在され、バネ部材３３の力で互いに押し付け合う。したがって、それぞれの接触箇所における摩擦力が増加している。
【００２３】
さらに、図５（Ｂ）のように本体２２が巻かれている状態で、最も外側で重なっている第１構成片１１、フラップ２１及び縁覆い片１４を掴み、物品収容具１０をバネ部材３３の弾性力に抗して開き、図５のようにテーブル等の上に置き、フラップ２１を図１のように開くと、筆３６を収容部２６，２７，２８から抜き出すことができる。なお、本体２２が巻かれている状態で、第１構成片１１、フラップ２１及び縁覆い片１５が最も外側で重なっている場合は、第１構成片１１、フラップ２１及び縁覆い片１５を掴み、本体２２をバネ部材３３の弾性力に抗して開く。
【００２４】
本実施形態で説明した事項の技術的意味の一例は、次の通りである。物品収容具１０は、物品収容具の一例である。本体２２は、本体の一例である。収容部２６，２７，２８は、収容部の一例である。バネ部材３３は、バネ部材の一例である。フラップ２１は、フラップの一例である。第１構成片１１は、第１構成片の一例である。第２構成片１２は、第２構成片の一例である。第３構成片２９は、第３構成片の一例である。バネ部材保持部３２は、バネ部材保持部の一例である。
【００２５】
本実施形態の物品収容具は、図面を用いて開示されたものに限定されるものではなく、その要旨を逸脱しない範囲で種々変更可能である。本実施形態において、本体及びフラップは、折り曲げ及び折り返しが可能であり、かつ、平坦形態と渦巻き形態との間で繰り返しの変形が可能な材質、材料であればよい。本体及びフラップは、布地に代えてプラスチック、合成皮革、皮革等の素材で構成されたシート材でもよい。
【００２６】
さらに、収容部に収容される物品は、筆に限らず、ドラムスティック、編み物棒、ボールペン、万年筆、鉛筆、サインペン、クレヨン等であってもよい。収容部に収容される物品は、棒形状または軸形状であると本体を巻き易い。さらに、収容部の深さ、収容部の数、フラップの長さ等は、物品の寸法、形状に応じて設計される。収容部は、単数または複数の何れでもよい。
【産業上の利用可能性】
【００２７】
本実施形態の物品収容具は、物品を収容した本体を巻いた状態で持ち運ぶ場合に利用される。
【符号の説明】
【００２８】
１０…物品収容具、１１…第１構成片、１２…第２構成片、２１…フラップ、２２…本体、２６，２７，２８…収容部、２９…第３構成片、３２…バネ部材保持部、３３…バネ部材
【図１】
0003233470.tif 000003
【図２】
0003233470.tif 000004
【図３】
0003233470.tif 000005
【図４】
0003233470.tif 000006
【図５】
0003233470.tif 000007